(57)【要約】【課題】  内装品本体に外側から押圧力が加わっても、エアバッグ展開用ティアラインが破断するのが規制されるエアバッグドア部付車両用内装品を提供する。【解決手段】  エアバッグドア部付車両用内装品１は、内装品本体３とその裏面に溶着された補強体１１とを備える。補強体１１は、エアバッグドア部９の外周部に溶着された枠体部１５と、枠体部１５とヒンジ２９，３３で一体に連結されていると共にエアバッグドア部９に溶着されたフラップ部２１，２３とを有する。ヒンジ２９，３３は、回動作用部２９ａ，３３ａと延出作用部２９ｂ，３３ｂとを有する。ヒンジ２９，３３の回動作用部２９ａ，３３ａのフラップ部２１，２３側に、エアバッグドア部９の裏面に向かって延びたリブ３１，３５がヒンジ２９，３３の長手方向に沿って一体に設けられている。【選択図】図３
2006188134.tif 000002
【特許請求の範囲】
【請求項１】
エアバッグドア部が表面に達しないエアバッグ展開用ティアラインで区画されて設けられている内装品本体と、その裏面に溶着された樹脂製の補強体と、を備えたエアバッグドア部付車両用内装品であって、
上記補強体は、上記エアバッグドア部の外周部に溶着された枠体部と、該枠体部とヒンジで一体に連結されていると共に該エアバッグドア部に溶着されたフラップ部と、を有し、
上記ヒンジは、上記枠体部に結合した裏面側に開いた断面略Ｕ字状の回動作用部と、該回動作用部に連続して上記フラップ部に結合した表面側に開いた断面略Ｕ字状の延出作用部と、を有し、
上記ヒンジの上記回動作用部のフラップ部側に、上記エアバッグドア部の裏面に向かって延びたリブが該ヒンジの長手方向に沿って一体に設けられていることを特徴とするエアバッグドア部付車両用内装品。
【請求項２】
上記リブは、エアバッグ展開によるエアバッグドア部開放時に、側面が上記エアバッグ展開用ティアラインに位置付けられるように設けられていることを特徴とする請求項１に記載のエアバッグドア部付車両用内装品。
【発明の詳細な説明】
【技術分野】
【０００１】
本発明は、車両衝突時にエアバッグ装置の作動で開くエアバッグドア部を有するインストルメントパネル等のエアバッグドア部付車両用内装品に関するものである。
【背景技術】
【０００２】
近年、大部分の車両には、車両衝突時の乗員の安全を確保するためのエアバッグ装置が搭載されている。そして、かかるエアバッグ装置は、一般に、エアバッグドア部付インストルメントパネルの裏面側に取り付けられている。また、エアバッグドア部付インストルメントパネルは、エアバッグドア部が表面に達しないエアバッグ展開用ティアラインで区画されて設けられているインストルメントパネル本体と、その裏面に溶着されたエアバッグ装置収納用の樹脂製の補強体とを備え、補強体が、エアバッグドア部の外周部に溶着された枠体部と、その枠体部とヒンジで一体に連結されていると共にエアバッグドア部に溶着されたフラップ部とを有した構成となっている。
【０００３】
また、特許文献１には、エアーバッグを折り畳んだ状態で収納するエアーバッグケースと、エアーバッグケースの開口と相対向する内装パネル（内装品本体）の裏面にエアーバッグ展開用の開口形状を決める破断用溝（エアバッグ展開用ティアライン）を形成して構成される破断開放部と、破断開放部及びその開口周辺領域に対応する内装パネルの裏面を補強すると共にエアーバッグケースを連結する補強枠体（補強体）とを備えた自動車用エアーバッグ装置が開示されている。この自動車用エアーバッグ装置では、補強枠体が、エアーバッグケースを連結する係止部を備えた枠本体と、枠本体の上部に一体成形された破断開放部用の破断補強部（フラップ部）と、破断開放部の開口周辺領域に対応する裏面を補強する縁補強部（枠体部）とで構成されている。そして、補強枠体のこの構成により、押圧力が内装パネルの上方から加えられても、補強枠体の縁補強部が内装パネルを下方から支持するため、破断開放部のへこみや開口周縁の変形を防止することができる、と記載されている。また、この破断補強部は、波状の折曲部を有するヒンジ部（ヒンジ）を介して枠本体と一体に形成されており、車両衝突時にエアーバッグ装置が作動すると、このヒンジ部の折曲部が延びて破断補強部がヒンジ部回りを回動し、エアーバッグが展開される。そして、これにより、車両衝突時の乗員の安全が確保される、と記載されている。
【特許文献１】特開２００４−６６９５５号公報
【発明の開示】
【発明が解決しようとする課題】
【０００４】
ところで、エアバッグドア部付インストルメントパネルでは、枠体部及びフラップ部はインストルメントパネル本体の裏面に溶着されるものの、ヒンジはインストルメントパネル本体の裏面に溶着されない。そのため、ヒンジの位置に対応したインストルメントパネル本体の部分は裏面側が支持されておらず、その部分に外側から押圧力が加わるとエアバッグ展開用ティアラインが破断してしまうおそれがある。
【０００５】
本発明は、かかる点に鑑みてなされたものであり、その目的とするところは、内装品本体に外側から押圧力が加わっても、エアバッグ展開用ティアラインが破断するのが規制されるエアバッグドア部付車両用内装品を提供することである。
【課題を解決するための手段】
【０００６】
上記目的を達成する本発明のエアバッグドア部付車両用内装品は、エアバッグドア部が表面に達しないエアバッグ展開用ティアラインで区画されて設けられている内装品本体と、その裏面に溶着された樹脂製の補強体と、を備えたものであって、上記補強体が、上記エアバッグドア部の外周部に溶着された枠体部と、該枠体部とヒンジで一体に連結されていると共に該エアバッグドア部に溶着されたフラップ部と、を有し、上記ヒンジが、上記枠体部に結合した裏面側に開いた断面略Ｕ字状の回動作用部と、該回動作用部に連続して上記フラップ部に結合した表面側に開いた断面略Ｕ字状の延出作用部と、を有し、上記ヒンジの上記回動作用部のフラップ部側に、上記エアバッグドア部の裏面に向かって延びたリブが該ヒンジの長手方向に沿って一体に設けられていることを特徴とする。
【０００７】
上記の構成によれば、ヒンジの位置に対応した内装品本体の部分に、外側から押圧力が加わると、リブがその部分の裏面に当接して支持することでその押圧力に抵抗する。従って、内装品本体に外側から押圧力が加わっても、エアバッグ展開用ティアラインが破断するのが規制される。
【０００８】
また、本発明のエアバッグドア部付車両用内装品は、上記リブが、エアバッグ展開によるエアバッグドア部開放時に、側面が上記エアバッグ展開用ティアラインに位置付けられるように設けられているものであってもよい。
【０００９】
上記の構成によれば、エアバッグが展開し、エアバッグドア部の基端部に対応するエアバッグ展開用ティアライン部が切断してエアバッグドア部が開放したときに、リブの側面がエアバッグ展開用ティアラインの位置に位置付けられると、それらがエアバッグドア部の切断端とヒンジとの間に挟まれた状態となる。従って、このように、リブによりヒンジが保護されるので、その切断端によりヒンジが損傷を受けて切断され、エアバッグドア部と共に乗員側に飛ぶということがない。
【発明の効果】
【００１０】
以上説明したように、本発明によれば、内装品本体に外側から押圧力が加わっても、エアバッグ展開用ティアラインが破断するのが規制される。
【発明を実施するための最良の形態】
【００１１】
本発明のエアバッグドア部付車両用内装品の実施形態をエアバッグドア部付インストルメントパネルを例として、以下、図面に基づいて詳細に説明する。なお、本発明は以下に示す実施形態に限定されない。
【００１２】
図１は、エアバッグドア部付インストルメントパネル１の助手席前方部分を示す。図２は、補強体１１を示す。図３乃至８は、それぞれ図２におけるIII−III線に沿った断面構造乃至VIII−VIII線に沿った断面構造を示す。図９は、橋梁部２５を示す。図１０及び図１１は、エアバッグが展開したときのエアバッグドア部付インストルメントパネル１の断面構造を示す。図１２及び１３は、補強体１１の成形ステップを示す断面図であり、各々、図３に相当する断面図である。図１４は、インストルメントパネル本体３と補強体１１との溶着工程を示す断面図であり、図３に相当する断面図である。なお、図１及び８の左右方向が「車幅方向」である。図３乃至７の左右方向が「車体前後方向」である。図３乃至７の上下方向が「車体上下方向」である。
【００１３】
図３乃至７に示すように、このエアバッグドア部付インストルメントパネル１は、インストルメントパネル本体（内装品本体）３と、その裏面３ｂ側に取り付けられたエアバッグ装置５１収納用の補強体１１と、を備えている。
【００１４】
インストルメントパネル本体３は、ポリプロピレン（ＰＰ）樹脂等で射出成形された樹脂成形品である。インストルメントパネル本体３の助手席前方位置の裏面３ｂには、表面３ａに達しないエアバッグ展開用ティアライン５が「日」の字状に形成されている。そして、図１に示すように、このエアバッグ展開用ティアライン５の区画により横長矩形状の一対のエアバッグドア部９が前後に配置されるように構成されている。また、インストルメントパネル本体３のエアバッグ展開用ティアライン５に対応した表面３ａの部分が、エアバッグ装置５１の作動により容易に破断する破断予定部７となっている。
【００１５】
補強体１１も射出成形された樹脂成形品であるが、その製造方法については後に詳述する。補強体１１は、エアバッグ装置５１が収納される略矩形筒状のガイド部１３を備えている。ガイド部１３は、インストルメントパネル本体３側の略矩形状の開口１３ａ（以下、「シューティング口１３ａ」という。）がインストルメントパネル本体３のエアバッグ展開用ティアライン５で囲われた部分を覆うように設けられている。ガイド部１３のシューティング口１３ａ側の端部には、ガイド部１３に連続して外方に延びる枠体部１５が設けられている。これらのガイド部１３及び枠体部１５は、高剛性な成形品が得られるガラス繊維入りのポリプロピレン（ＰＰ）樹脂等の樹脂材料で形成されている。
【００１６】
ガイド部１３は、略矩形筒状であるところの前側及び後側枠壁１３ｂ，１３ｃのそれぞれに相互に間隔をおいて複数の係合孔１３ｄ（図４に１つだけ記載）が車幅方向に形成されている。そして、エアバッグ装置５１は、その側面に設けられたフック５３（図４に１つだけ記載）がその係合孔１３ｄに係合してガイド部１３に収納された状態で固定される。
【００１７】
枠体部１５は、インストルメントパネル本体３側の表面に溶着リブ１５ａが格子状に形成されている。ガイド部１３及び枠体部１５は、この溶着リブ１５ａが振動溶着されてインストルメントパネル本体３の裏面３ｂのエアバッグドア部９の外周部に取り付けられている。
【００１８】
ガイド部１３と枠体部１５との交差部３７には、シューティング口１３ａが不連続に拡口するように段差部３７ｃが形成されている。段差部３７ｃの前辺部及び後辺部のそれぞれには、図８に示すように、高さの相対的に高い大リブ３７ａと高さの相対的に低い小リブ３７ｂとが交互に長手方向に沿って相互に間隔をおいて段差部３７ｃを区画するように一体に形成されている。
【００１９】
補強体１１は、図２に示すように、ガイド部１３のシューティング口１３ａ側に、横長矩形状の前側及び後側フラップ部２１，２３を備えている。前側及び後側フラップ部２１，２３は、シューティング口１３ａを塞ぐように設けられている。前側フラップ部２１は、前辺部が前側ヒンジ２９を介してガイド部１３のシューティング口１３ａ側の段差部３７ｃの前辺部に一体にモールド成形されている。一方、後側フラップ部２３は、後辺部が後側ヒンジ３３を介してガイド部１３のシューティング口１３ａ側の段差部３７ｃの後辺部に一体にモールド成形されている。前側フラップ部２１と後側フラップ部２３とは、前者の後辺部と後者の前辺部とが辺両側でそれぞれ橋梁部２５を介して連結されている。これらの前側及び後側フラップ部２１，２３、前側及び後側ヒンジ２９，３３、並びに、橋梁部２５は、高靱性な成形品が得られ、特に低温で破損しにくいポリオレフィン系熱可塑性エラストマー樹脂材料（ＴＰＯ）等で形成されている。つまり、これらは、ガイド部１３及び枠体部１５は異なる樹脂材料で成形されている。
【００２０】
前側及び後側フラップ部２１，２３は、インストルメントパネル本体３側の表面に溶着リブ２１ａ，２３ａが格子状に形成されている一方、エアバッグを損傷しないように裏面が平坦面に形成されている。前側及び後側フラップ部２１，２３は、この溶着リブ２１ａ，２３ａが振動溶着されてインストルメントパネル本体３の裏面３ｂのエアバッグドア部９に取り付けられている。前側及び後側フラップ部２１，２３のそれぞれには、図２に示すように、左右両側に貫通孔２１ｂ，２３ｂが形成されている。これらの貫通孔２１ｂ，２３ｂの周縁は、インストルメントパネル本体３側に突出した環状突条２１ｃ，２３ｃに形成されている。その環状突条２１ｃ，２３ｃは、溶着リブ２１ａ，２３ａよりも高さが低く形成されている。
【００２１】
前側ヒンジ２９は、ガイド部１３の段差部３７ｃに結合した裏面側に開いた断面略Ｕ字状の回動作用部２９ｂと、回動作用部２９ｂに連続して前側フラップ部２１の前辺部に結合した表面側に開いた断面略Ｕ字状の延出作用部２９ｃと、を備え、全体として断面略Ｓ字状に形成されている。前側ヒンジ２９の回動作用部２９ｂの前側フラップ部２１側には、インストルメントパネル本体３のエアバッグドア部９の裏面３ｂに向かって延びた突条の前側リブ３１が前側ヒンジ２９の長手方向に沿って一体に形成されている。
【００２２】
後側ヒンジ３３は、ガイド部１３の段差部３７ｃに結合した裏面側に開いた断面略Ｕ字状の回動作用部３３ｂと、回動作用部３３ｂに連続して後側フラップ部２３の後辺部に結合した表面側に開いた断面略Ｕ字状の延出作用部３３ｃと、を備え、全体として断面略Ｓ字状に形成されている。後側ヒンジ３３の回動作用部３３ｂの後側フラップ部２３側には、インストルメントパネル本体３のエアバッグドア部９の裏面３ｂに向かって延びた突条の後側リブ３５が後側ヒンジ３３の長手方向に沿って一体に形成されている。
【００２３】
前側及び後側ヒンジ２９，３３は、左右方向に並行に延びる３本のエアバッグ展開用ティアライン５のうち、それぞれ前位置のもの及び後位置のものに対峙する位置関係となっている。そして、前側リブ３１は、図１１に示すように、エアバッグ展開によるエアバッグドア部９の開放時に、側面が前位置のエアバッグ展開用ティアライン５に位置付けられるように設けられている。また、後側リブ３５も、図１１に示すように、エアバッグ展開によるエアバッグドア部９の開放時に、側面が後位置のエアバッグ展開用ティアライン５に位置付けられるように設けられている。なお、前側フラップ部２１と後側フラップ部２３との隙間が中間位置のエアバッグ展開用ティアライン５に対応した位置となっている。
【００２４】
段差部３７ｃに一体にモールド成形された前側及び後側ヒンジ２９，３３のそれぞれの基部２９ａ，３３ａには、図８に示すように、複数の溶着リブ３７ｄが長手方向に沿って相互に間隔をおいて、段差部３７ｃに設けられた大リブ３７ａが埋設されるように形成されている。つまり、大リブ３７ａは、溶着リブ３７ｄを支持する支持リブを構成している。この溶着リブ３７ｄは振動溶着されてインストルメントパネル本体３の裏面３ｂに取り付けられている。
【００２５】
橋梁部２５は、成形時には、図９（ａ）に示すように、中央が薄肉部２５ａの裏面側に反った断面略Ｖ字状の形状に形成されているものの、前側及び後側フラップ部２１，２３がエアバッグドア部９に溶着されることによりその反りが伸ばされて、図９（ｂ）に示すように、裏面が前側及び後側フラップ部２１，２３の裏面と面一とされている。
【００２６】
次に、このエアバッグドア部付インストルメントパネル１のエアバッグ展開動作について、図１０及び図１１に基づいて説明する。
【００２７】
まず、車両が衝突してある一定以上の衝撃を受けると、エアバッグ装置５１が作動してインフレータによりエアバッグの展開が開始される。
【００２８】
次いで、エアバッグの展開に伴って、図１０に示すように、前側及び後側ヒンジ２９，３３の断面略Ｕ字状の延出作用部２９ｃ，３３ｃが延ばされ、前側及び後側フラップ部２１，２３が上方に押し上げられて橋梁部２５が薄肉部２５ａで切断すると共に、エアバッグ展開用ティアライン５に沿って破断予定部７が破断してエアバッグドア部９がインストルメントパネル本体３から別体となって離れる。
【００２９】
そして、さらにエアバッグの展開が進行してエアバッグがインストルメントパネル本体３の開口から飛び出すのに伴って、図１１に示すように、前側及び後側ヒンジ２９，３３の断面略Ｕ字状の回動作用部２９ｂ，３３ｂが外向きに回動され、一対のエアバッグドア部９が観音開き状に開放される。このとき、前側リブ３１の側面がエアバッグ展開用ティアライン５の位置に位置付けられ、それらがエアバッグドア部９の切断端と前側ヒンジ２９との間に挟まれた状態となる。また、後側リブ３５の側面がエアバッグ展開用ティアライン５の位置に位置付けられると、それらがエアバッグドア部９の切断端と後側ヒンジ３３との間に挟まれた状態となる。
【００３０】
以上に説明したようなエアバッグドア部付インストルメントパネル１であれば、前側ヒンジ２９、或いは、後側ヒンジ３３の位置に対応したインストルメントパネル本体３の部分に、外側から押圧力が加わると、前側リブ３１、或いは、後側リブ３５がその部分の裏面に当接して支持することでその押圧力に抵抗する。従って、インストルメントパネル本体３に外側から押圧力が加わっても、エアバッグ展開用ティアライン５が破断するのを規制することができる。
【００３１】
また、エアバッグが展開し、エアバッグドア部９の基端部に対応するエアバッグ展開用ティアライン５が切断してエアバッグドア部９が開放したときに、前側及び後側リブ３１，３５の側面がエアバッグ展開用ティアライン５の位置に位置付けられると、それらがエアバッグドア部９の切断端と前側ヒンジ２９、或いは、後側ヒンジ３３との間に挟まれた状態となる。従って、このように、前側及び後側リブ３１，３５により前側及び後側ヒンジ２９，３３が保護されるので、その切断端により前側ヒンジ２９、或いは、後側ヒンジ３３が損傷を受けて切断され、エアバッグドア部９と共に乗員側に飛ぶということがない。
【００３２】
次に、このエアバッグドア部付インストルメントパネル１の製造方法について説明する。
【００３３】
＜インストルメントパネル本体成形工程＞
インストルメントパネル本体３を、射出成形機のホッパーに、ペレット状のポリプロピレン（ＰＰ）樹脂等を投入し、それをシリンダ内でスクリュー混練しながら溶融させてゲートから金型に射出する射出成形により成形する。
【００３４】
成形されたインストルメントパネル本体３では、助手席前方位置の裏面３ｂに、表面３ａに達しないエアバッグ展開用ティアライン５が形成されてエアバッグドア部９が構成される。
【００３５】
＜補強体成形工程＞
補強体１１も、射出成形により成形するが、ガイド部１３等と前側及び後側フラップ部２１，２３等とが異なる樹脂材料で形成されるため、第１及び第２成形ステップからなる２段階の射出成形により成形する。
【００３６】
−第１成形ステップ−
補強体１１のガイド部１３及び枠体部１５を、射出成形機のホッパーに高剛性な成形品が得られるペレット状のガラス繊維入りポリプロピレン（ＰＰ）樹脂等を投入し、それをシリンダ内でスクリュー混練しながら溶融させ、図１２に示すように、第１金型７０のキャビティ型７１とコア型７２との間に形成されるキャビティ内に、ゲートから、その溶融された樹脂を射出する射出成形により一体に成形する。
【００３７】
成形されたガイド部１３及び枠体部１５では、それらの交差部３７に段差部３７ｃ、大リブ３７ａ及び小リブ３７ｂが形成される。
【００３８】
−第２成形ステップ−
補強体１１の前側及び後側フラップ部２１，２３、並びに、前側及び後側ヒンジ２９，３３を、射出成形機のホッパーに高靱性な成形品が得られるペレット状のポリオレフィン系熱可塑性エラストマー樹脂（ＴＰＯ）等を投入し、それをシリンダ内でスクリュー混練しながら溶融させ、図１３に示すように、第１成形ステップで成形したガイド部１３及び枠体部１５をコア型６３に予めセットした第２金型６０のキャビティ型６１とコア型６３、コア型６３にセットされたガイド部１３及び枠体部１５との間に形成されるキャビティ内に、ゲートから、その溶融された樹脂を射出する射出成形により全体を一体に成形する。成形された前側及び後側フラップ部２１，２３、並びに、前側及び後側ヒンジ２９，３３では、ガイド部１３及び枠体部１５の交差部３７の段差部３７ｃに、前側及び後側ヒンジ２９，３３が一体に形成されると共に大リブ３７ａが埋設された溶着リブ３７ｄが形成される。
【００３９】
＜溶着工程＞
図１４に示すように、インストルメントパネル本体３を基台７３にセットすると共に、補強体１１を振動溶着治具７４にセットし、インストルメントパネル本体３の裏面３ｂのエアバッグドア部９の外周部に補強体１１の枠体部１５を位置付けると共に、前側及び後側フラップ部２１，２３をエアバッグドア部９に位置付ける。そして、振動溶着治具７４を用いて補強体１１をインストルメントパネル本体３側に押し当てて高周波で横方向７５に振動させることにより、溶着リブ１５ａ，２１ａ，２３ａ，３７ｄにより補強体１１をインストルメントパネル本体３に溶着させる。このとき、溶着リブ３７ｄは、大リブ３７ａが埋設されているので、変形することなく精度良くインストルメントパネル本体３に押し当てられて確実に溶着される。なお、前側及び後側フラップ部２１，２３がエアバッグドア部９に溶着されることにより、橋梁部２５は、その反りが伸ばされて、図９（ｂ）に示すように、裏面が前側及び後側フラップ部２１，２３の裏面と面一とされ、そのためにエアバッグ装置５１の障害とならない。また、前側及び後側フラップ部２１，２３の表面側の貫通孔２１ｂ，２３ｂの周縁が環状突条２１ｃ，２３ｃに形成されているので、溶着リブ２１ａ，２３ａの溶着によって生じたバリが貫通孔２１ｂ，２３ｂを通ってエアバッグ装置５１が設けられた裏面側に落ちるのを防止することができる。しかも、環状突条２１ｃ，２３ｃは、溶着リブ２１ａ，２３ａよりも高さが低く形成されているので、前側及び後側フラップ部２１，２３をエアバッグドア部９に溶着する際の障害とならない。
【００４０】
なお、上記実施形態では、エアバッグドア部付車両用内装品として、エアバッグドア部付インストルメントパネル１を例に挙げたが、特にこれに限定されるものではなく、ステアリングハンドル等のその他の車両用内装品であってもよい、
また、上記実施形態では、エアバッグ展開用ティアライン５が「日」の字状に形成されて、このエアバッグ展開用ティアライン５の区画により横長矩形状の一対のエアバッグドア部９が上下に配置された構成のものとしたが、特にこれに限定されるものではなく、図１３に示すように、エアバッグ展開用ティアライン５が「口」の字状に形成されて、このエアバッグ展開用ティアライン５の区画により横長矩形状の単一のエアバッグドア部９が配置された構成のものであってもよい。
【００４１】
また、上記実施形態では、樹脂単層のインストルメントパネル本体３としたが、特にこれに限定されるものではなく、樹脂等で成形された樹脂製基材とその表面側に一体に被覆された樹脂製表皮とからなる２層構造のものであってもよい。
【００４２】
また、上記実施形態では、前側及び後側フラップ部２１，２３の２枚のフラップ部としたが、特にこれに限定されるものではなく、３枚以上のフラップ部を有するものであってもよい。例えば、前側フラップ部と中央フラップ部と後側フラップ部とが設けられており、前側フラップ部と中央フラップ部とが橋梁部を介して連結され、また、中央フラップ部と後側フラップ部とが橋梁部を介して連結された構成のものであってもよい。
【００４３】
また、上記実施形態では、補強体１１を筒状のガイド部１３及び枠体部１５で構成したものとしたが、特にこれに限定されるものではなく、補強体がガイド部を有さず、エアバッグ装置のフレームがガイド部に構成されたものであってもよい。
【産業上の利用可能性】
【００４４】
以上説明したように、本発明は、車両衝突時にエアバッグ装置の作動で開くエアバッグドア部を有するインストルメントパネル等のエアバッグドア部付車両用内装品について有用である。
【図面の簡単な説明】
【００４５】
【図１】エアバッグドア部付インストルメントパネルの部分的な斜視図である。
【図２】補強体１１の正面図である。
【図３】図２におけるIII−III線に沿った断面図である。
【図４】図２におけるIV−IV線に沿った断面図である。
【図５】図２におけるＶ−Ｖ線に沿った断面図である。
【図６】図２におけるVI−VI線に沿った断面図である。
【図７】図２におけるVII−VII線に沿った断面図である。
【図８】図２におけるVIII−VIII線に沿った断面図である。
【図９】橋梁部の拡大図である。
【図１０】エアバッグの展開初期過程を示す説明図である。
【図１１】エアバッグの展開終期過程を示す説明図である。
【図１２】補強体１１の第１成形ステップを示す図３に相当する断面の成形型断面図である。
【図１３】補強体１１の第２成形ステップを示す図３に相当する断面の成形型断面図である。
【図１４】インストルメントパネル本体３と補強体１１との溶着工程を示す図３に相当する断面の溶着治具断面図である。
【図１５】その他の実施形態のエアバッグドア部付インストルメントパネルの部分的な斜視図である。
【符号の説明】
【００４６】
１  エアバッグドア部付インストルメントパネル（エアバッグドア部付車両用内装品）
３  インストルメントパネル本体（内装品本体）
３ａ  表面
３ｂ  裏面
５  エアバッグ展開用ティアライン
９  エアバッグドア部
１１  補強体
１５  枠体部
２１  前側フラップ部（フラップ部）
２３  後側フラップ部（フラップ部）
２９  前側ヒンジ
２９ｂ  回動作用部
２９ｃ  延出作用部
３１  前側リブ（リブ）
３３  後側ヒンジ
３３ｂ  回動作用部
３３ｃ  延出作用部
３５  後側リブ（リブ）
【図１】
2006188134.tif 000003
【図２】
2006188134.tif 000004
【図３】
2006188134.tif 000005
【図４】
2006188134.tif 000006
【図５】
2006188134.tif 000007
【図６】
2006188134.tif 000008
【図７】
2006188134.tif 000009
【図８】
2006188134.tif 000010
【図９】
2006188134.tif 000011
【図１０】
2006188134.tif 000012
【図１１】
2006188134.tif 000013
【図１２】
2006188134.tif 000014
【図１３】
2006188134.tif 000015
【図１４】
2006188134.tif 000016
【図１５】
2006188134.tif 000017